(57)【特許請求の範囲】
【請求項１】
一対のＵ字形磁心の両磁脚の少なくとも一面及び一方の磁心の前記両磁脚を繋ぐ橋洛部を覆うことが可能な２つの保持部と該保持部を繋ぐ取付部を持った絶縁ホルダーを該Ｕ字形磁心に挿入し、絶縁巻線を施してなるチョークコイル組立体と、該チョークコイル組立体を収納するケースと、他方の磁心の橋洛部を押圧する側壁と前記取付部を押圧する固定片との間に前記チョークコイル組立体を固定するとともに前記ケースの蓋となる基台とから構成されたことを特徴とするラインフィルター。
【請求項２】
請求項１記載のラインフィルターにおいて、前記チョークコイル組立体に、前記Ｕ字形磁心に筒状に巻回する、少なくとも一対以上の眼鏡形に巻いた巻線を用いたことを特徴とするラインフィルター。
【発明の詳細な説明】
【０００１】
【産業上の利用分野】
本発明は、産業用や民生用の電子機器の電磁ノイズ除去や車載用ラジオの受信感度の向上に用いられるラインフィルターに関する。
【０００２】
【従来の技術】
従来、ラインフィルターは、電子機器の電源部から発生し電源線を伝導する電磁ノイズを除去するために、コモンモードチョークコイルとコンデンサー等の電子部品より構成されている。又、図３に示すように、車載用の受信アンテナ３４から車載用ラジオ３１へ伝送する高周波電流の一部が漏洩して、バッテリー３３へ漏洩してしまうため、車載用ラジオにおいては、ラインフィルター３２を設けて雑音の混信を防止し、受信感度の向上をはかっている。
【０００３】
又、車載用や振動の大きな電子機械に使用されるラインフィルターには、図２に示すようなチョークコイルを使用していることが多い。このチョークコイルは、一対のＵ字形磁心２２の、溝２４を設けた磁脚３８に絶縁被覆を施した巻線２３を挿入し、一対のＵ字形磁心２２を組み付け、金属製のホルダー２１を溝２４に挿入して、ビス３６で金属製の基台５のビス穴３５ｂにビス止めして、各々の取付部３７，３７ａを固定してなるものである。
【０００４】
【発明が解決しようとする課題】
ここで、図２に示すようなラインフィルターのチョークコイルは、振動によって巻線２３の絶縁被覆がはがれ、金属製のホルダー２１等に接触する可能性があるため、絶縁紙や絶縁性のボビン等を使って絶縁する必要があった。又、Ｕ字形磁心２２に溝２４を設けるため、手間がかかり、コストが高くついていた。
【０００５】
本発明の目的は、巻線と磁心とを容易に絶縁することができる、安定した特性を有する、安価なラインフィルターを提供するものである。
【０００６】
【課題を解決するための手段】
本発明は、係る課題を解決するためになされたもので、これによれば、一対のＵ字形磁心の両磁脚の少なくとも片面及び一方の磁心の橋洛部を覆い、取付部を設けたプラスチック等による絶縁ホルダーを該Ｕ字形磁心に挿入し、絶縁巻線を施してなるチョークコイルを基台上に固定したことを特徴とする電磁ノイズや車載ラジオ感度向上に用いられるラインフィルターを提供できる。即ち、本発明によれば、一対のＵ字形磁心の両磁脚の少なくとも一面及び一方の磁心の前記両磁脚を繋ぐ橋洛部を覆うことが可能な２つの保持部と該保持部を繋ぐ取付部を持った絶縁ホルダーを該Ｕ字形磁心に挿入し、絶縁巻線を施してなるチョークコイル組立体と、該チョークコイル組立体を収納するケースと、他方の磁心の橋洛部を押圧する側壁と前記取付部を押圧する固定片との間に前記チョークコイル組立体を固定するとともに前記ケースの蓋となる基台とから構成されたことを特徴とするラインフィルターが得られる。
【０００７】
又、前記ラインフィルターにおいて、該Ｕ字形磁心と、該磁心に筒状に巻回する、少なくとも一対以上の眼鏡形に巻いた巻線を用いたラインフィルターを提供できる。即ち、本発明によれば、上記のラインフィルターにおいて、前記チョークコイル組立体に、前記Ｕ字形磁心に筒状に巻回する、少なくとも一対以上の眼鏡形に巻いた巻線を用いたことを特徴とするラインフィルターが得られる。
【０００８】
【作用】
前述のように、Ｕ字形磁心に絶縁ホルダーを挿入し、巻線を施して基台に固定することにより、振動によって巻線の絶縁がはがれても、ホルダーが絶縁性のために電気的に短絡するようなことはなくなる。又、Ｕ字形磁心の磁脚部をホルダーが覆うため、巻線と磁心の絶縁が強化される。
【０００９】
【実施例】
本発明の実施例を図面を用いて説明する。
【００１０】
本発明の実施例のラインフィルターを図１に示す。図１に示すように、本発明のラインフィルターは、一対のＵ字形磁心２と、一対の眼鏡形の巻線３と、眼鏡形の絶縁板４と、銅管接続子３９と、前記磁心２と前記眼鏡形の巻線３と前記絶縁板４とを保持する絶縁ホルダー１と、前記絶縁ホルダー１の取付穴１８と固定穴１７とをビス３５で固定する固定片７を有する基台５と、前記基台５の取付穴１９にビス３５ａで取り付ける絶縁紙４０と、ケース１１と、コネクタ４１，４２とを接続子２０で連結した電線１２，１３とから構成される。
【００１１】
絶縁ホルダー１は、一対のＵ字形磁心２の両磁脚３８を覆い、保持することが可能な弾性を持った曲面状の保持部８を有する。
【００１２】
前記取付部９を持った絶縁ホルダー１を一方のＵ字形磁心２に装着し、丸導線を筒型に且つ２層に形成し、眼鏡形に巻いた２個の分割巻線からなる眼鏡形の巻線３を挿入して、他方のＵ字形磁心２に眼鏡形の巻線３と絶縁板４の仕切板を挿入し、更に他方のＵ字形磁心を組み付けて、チョークコイル組立体１５を形成する。
【００１３】
このチョークコイル組立体１５を金属製の基台５に設けた固定片７に押圧し、前記固定片７の固定穴１７に、取付穴１８を、ビス３５を用いてビス止めすることにより固定する。
【００１４】
更に、眼鏡形の巻線３の入出力端に接続子２０を介して電線１２及び一対の電線１３を接続し、コンデンサー１０等の電子部品を線間あるいは線対接地間に接続し、チョークコイル組立体１５やコンデンサー１０をケース１１に収納し、絶縁性のケース１１の係合部４４に前記基台５の係止部４３を嵌入し、前記基台５で蓋をして、本発明のノイズフィルタが完成する。
【００１５】
よって、本発明によるノイズフィルターは、絶縁ホルダー１によって、眼鏡形の巻線３の巻線部分、眼鏡形の巻線３とＵ字形磁心２及び眼鏡形の巻線３と外部を絶縁することができる。又、磁心に溝を設ける必要もなく、簡単な構造でチョークコイル組立体１５を固定することができる。
【００１６】
又、ここで、Ｕ字形磁心に挿入する巻線は、眼鏡形の巻線３でなく、単層の筒状の巻線を用いても良い。
【００１７】
【発明の効果】
本発明によれば、磁心に溝を形成することもなく、簡単な構造でチョークコイルを固定することができる。又、激しい振動を生じる自動車内であっても、位置ずれを起こすことはない。又、絶縁ホルダーによって、巻線部分、眼鏡形の巻線とＵ字形磁心及び眼鏡形の巻線と外部を絶縁することができる。又、一対のＵ字形磁心が圧着されることによって、安定したチョークコイルのインピーダンス特性が得られ、本発明のラインフィルターは、振動に影響されない減衰特性を確保できる。
【図面の簡単な説明】
【図１】本発明の一実施例によるラインフィルターを底面から見た組立斜視図。
【図２】従来技術によるラインフィルターの組立斜視図。
【図３】車載用ラジオと他の機器との構成図。
【符号の説明】
１    絶縁ホルダー
２，２２      Ｕ字形磁心
３      眼鏡形の巻線
４      絶縁板
５    基台
６      側壁
７      固定片
８    保持部
９，３７，３７ａ      取付部
１０      コンデンサー
１１      ケース
１２，１３      電線
１５      チョークコイル組立体
１７        固定穴
１８，１９        取付穴
２０        接続子
２１      ホルダー
２３        巻線
２４      溝
３１      車載用ラジオ
３２      ラインフィルター
３３      バッテリー
３４      受信アンテナ
３５，３５ａ，３６        ビス
３５ｂ        ビス穴
３８        磁脚
３９        銅管接続子
４０        絶縁紙
４１，４２        コネクタ
４３        係止部
４４        係合部
【図１】
0003547843.tif 000002
【図２】
0003547843.tif 000003
【図３】
0003547843.tif 000004